(57)【要約】【解決手段】集積回路の第１の電力ドメインに電力を供給する第１のピンと、前記集積回路の第２の電力ドメインに電力を供給する第２のピンと、スイッチングレギュレータとコントローラとを備える装置が開示される。スイッチングレギュレータは、前記第１のピンに結合されて、第１の調整された電源を前記第１の電力ドメインに供給し、且つ、前記第２のピンに結合されて、第２の調整された電源を前記第２の電力ドメインに供給する。コントローラは、前記第１のピンと前記第２のピンとに結合されて、低電力事象の期間に少なくとも第２のピンへの電流フローを選択的に低減する。【選択図】      図２
2009536815.tif 000002
【特許請求の範囲】
【請求項１】
集積回路の第１の電力ドメインに電力を供給する第１のピンと、
前記集積回路の第２の電力ドメインに電力を供給する第２のピンと、
前記第１のピンに結合されて、第１の調整された電源を前記第１の電力ドメインに供給し、且つ、前記第２のピンに結合されて、第２の調整された電源を前記第２の電力ドメインに供給するスイッチングレギュレータと、
前記第１のピンと前記第２のピンとに結合されて、低電力事象の期間に少なくとも前記第２のピンへの電流フローを選択的に低減する又は無効にするコントローラと
を備える、回路装置。
【請求項２】
前記低電力事象は、シャットダウンイベント、アイドルイベント、及び電力減少事象から成る組から選択される、請求項１記載の回路装置。
【請求項３】
前記コントローラは、前記低電力事象の期間に前記電流フローを約１００ナノアンペア未満の電流レベルに制限する、請求項１記載の回路装置。
【請求項４】
前記スイッチングレギュレータは、バックコントローラと、前記バックコントローラに応答するバックレギュレータを備える、請求項１記載の回路装置。
【請求項５】
前記コントローラは、ヘッドコントローラと、前記ヘッドコントローラに応答するスイッチとを備え、前記スイッチは、前記第２の電力ドメインに対する前記第２の調整された電源を選択的に停止する、請求項１記載の回路装置。
【請求項６】
前記スイッチの前後での電力降下は、前記集積回路への前記電流フローが約１００ｍＡのときに、５ｍＶ以下である、請求項５記載の回路装置。
【請求項７】
前記コントローラは、複数のコラプシブルな電力ドメインへの電流フローを選択的に無効にするように適合される、請求項１記載の回路装置。
【請求項８】
前記スイッチングレギュレータは、より古い製造技術を用いて製造され、前記集積回路は、より新たな製造技術を用いて製造される、請求項８記載の回路装置。
【請求項９】
前記第１のピンに結合される第１のターミナルと、前記コントローラに結合される制御ターミナルと、前記第２のピンに結合される第２のターミナルとを含むトランジスタを更に備え、前記コントローラは、前記トランジスタを選択的に停止して、前記低電力事象の期間に前記第２のピンへの前記電流フローを実質的に低減する、請求項１記載の回路装置。
【請求項１０】
第１の調整された電源を生成するバックコントローラと、
集積回路の第１の電力ドメインに結合され、前記バックコントローラに応答して前記第１の調整された電源を前記第１の電力ドメインに供給する第１のピンと、
前記集積回路の第２の電力ドメインに結合され、前記第１の調整された電源から得られる第２の調整された電源を前記第２の電力ドメインに供給する第２のピンと、
動作モードを判定し、前記動作モードが低電力モードを含むとき、前記第２のピンへの電流フローを選択的に低減する又は無効にするヘッドコントローラと
を備える、電力管理集積回路。
【請求項１１】
外部のインダクタに結合される第３のピンと、
第１の電圧供給ターミナルに結合される第１のターミナルと、前記バックコントローラに結合される制御ターミナルと、前記第３のピンに結合される第２のターミナルとを含む第１のトランジスタと、
前記第３のピンに結合される第１のターミナルと、前記バックコントローラに結合される制御ターミナルと、第２の電圧供給ターミナルに結合される第２のターミナルとを含む第２のトランジスタとを更に備え、
前記第１のトランジスタと前記第２のトランジスタは、前記バックコントローラに応答して、前記インダクタに前記第３のピンを介して電源を供給する、請求項１０記載の電力管理集積回路。
【請求項１２】
前記第１のピンに結合される第１のターミナルと、前記ヘッドコントローラに結合される制御ターミナルと、前記第２のピンに結合される第２のターミナルとを含む第３のトランジスタを更に備え、前記第３のトランジスタは、低電力モードのときに、前記ヘッドコントローラに応答して、前記第２のピンへの電流フローを選択的に低減する、請求項１０記載の電力管理集積回路。
【請求項１３】
前記第１のピンに結合される第１のターミナルと、前記第３のトランジスタの前記制御ターミナルに結合される制御ターミナルと、前記第２のピンに結合される第２のターミナルとを含む第４のトランジスタを更に備え、前記第４のトランジスタは、前記ヘッドコントローラに応答して、前記第２のピンへの電流フローを選択的に低減する、請求項１２記載の電力管理集積回路。
【請求項１４】
前記ヘッドコントローラは、
前記動作モードを判定し、少なくとも１つの制御信号を供給するロジックと、
前記第１のピンに結合される入力と、前記第２のピンに結合される出力とを含む低ドロップアウトレギュレータであって、前記低ドロップアウトレギュレータは、前記ロジックに応答して、前記第２のピンへの電流フローを選択的に低減する、低ドロップアウトレギュレータと
を備える、請求項１０記載の電力管理集積回路。
【請求項１５】
前記ヘッドコントローラは、前記第２のピンへの電流フローを約１００ナノアンペア未満の電流レベルに低減する、請求項１３記載の電源管理集積装置。
【請求項１６】
前記バックコントローラは、第１の調整された電源を前記第１のドメインに前記第１のピンを介して供給し、第２の調整された電源を前記第２のドメインに前記第２のピンを介して選択的に供給する、請求項１０記載の電力管理集積回路。
【請求項１７】
前記集積回路は、複数の電力ドメインを備え、前記バックコントローラは、前記第１の調整された電源を前記第１の電力ドメインに前記第１のピンを介して供給するように適合され、前記ヘッドコントローラは、前記第２の調整された電源を前記第２の電力ドメインに供給し、少なくとも１つの付加的な調整された電源を前記複数の電力ドメインのうちの１つ又は複数の他の電力ドメインに供給するように適合される、請求項１０記載の電力管理集積回路。
【請求項１８】
前記ヘッドコントローラは、電流レベル又は電圧レベルのうちの少なくとも１つを前記第２のピンに合わせて調整して、前記第２の電力ドメインへの電源を制御するように適合される、請求項１０記載の電力管理集積回路。
【請求項１９】
第１の調整された供給電圧を電力管理集積回路の第１のピンに、第２の調整された供給電圧を前記電力管理集積回路の第２のピンに供給し、
動作モードに応じて、前記第２のピンへの電流フローを選択的に無効にし、前記電力管理集積回路は、前記第１のピンに応答する第１の電力ドメインと前記第２のピンに応答する第２の電力ドメインを含む集積回路装置に結合される
ことを含む、方法。
【請求項２０】
電流フローを選択的に無効にすることは、
前記第１のピンと前記第２のピンとに結合されるトランジスタを停止して、低電力モード時に前記第２のピンへの電流フローを実質的に低減する
ことを含む、請求項１９記載の方法。
【請求項２１】
前記低電力モードの期間に、供給電圧を前記第１のピンに供給して、前記集積回路装置の状態を保持する
ことを更に含む、請求項２０記載の方法。
【請求項２２】
前記第１の調整された電源は、前記第２の調整された電源と異なる電力レベルである、請求項１９記載の方法。
【請求項２３】
電流フローを選択的に無効にすることは、前記第２のピンへの電流フローを約１００ナノアンペア未満の電流レベルに低減することを含む、請求項１９記載の方法。
【請求項２４】
電圧レベルを前記第２の電力ドメインに合わせて調整して、一定期間にわたって前記第２の電力ドメインの電力レベルを調節する
ことを更に含む、請求項１９記載の方法。
【請求項２５】
第１の調整された供給電圧を集積回路装置の第１のピンに供給し、第２の調整された供給電圧を前記集積回路装置の第２のピンに供給する手段と、
動作モードに従って前記第２のピンへの電流フローを選択的に有効又は無効にする手段であって、前記集積回路装置は、前記第１のピンに応答する第１の電力ドメインと前記第２のピンに応答する第２の電力ドメインとを備える、手段と、
を備える、システム。
【請求項２６】
前記供給する手段は、バックレギュレータを備える、請求項２５記載のシステム。
【請求項２７】
前記電流フローを選択的に有効又は無効にする手段は、ヘッドコントローラを備える、請求項２５記載のシステム。
【請求項２８】
複数の電力ドメインを含む集積回路装置と、
電源に応答し、前記集積回路装置に結合される電力管理集積回路とを備える移動体通信装置であって、前記電力管理集積回路は、
前記複数の電力ドメインのうちの第１の電力ドメインに電力を供給する第１のピンと、
前記複数の電力ドメインのうちの第２の電力ドメインに電力を供給する第２のピンと、
前記第１のピンに結合され、第１の調整された電源を前記第１の電力ドメインに供給し、且つ、前記第２のピンに結合され、第２の調整された電源を前記第２の電力ドメインに供給するスイッチングレギュレータと、
前記第１のピンと前記第２のピンとに結合され、低電力事象の期間に少なくとも前記第２のピンへの電流フローを選択的に低減するコントローラとを備える
移動体通信装置。
【請求項２９】
前記低電力事象は、省電力動作モードを含む、請求項２８記載の移動体通信装置。
【請求項３０】
前記コントローラは、電流フローを約１００ナノアンペア未満の電流レベルに低減する、請求項２８記載の移動体通信装置。
【発明の詳細な説明】
【技術分野】
【０００１】
本開示は一般に、電力分配制御の方法及びシステムに関する。
【背景技術】
【０００２】
技術の進歩は、より小さく且つより有力なパーソナルコンピューティングデバイスをもたらした。例えば、携帯無線電話、パーソナルデジタルアシスタント（ＰＤＡ）、及びページングデバイスといった無線コンピューティングデバイスを含む種々の携帯用パーソナルコンピューティングデバイスは、小さく、軽量で、ユーザによって簡単に持ち運ばれる。より具体的には、セルラー（アナログ及びデジタル）電話とＩＰ電話といった携帯無線電話は、音声及びデータパケットを無線ネットワークで通信することができる。更に、多くのそのような無線電話は、その中に組み込まれる他のタイプの装置を含む。例えば、無線電話は、デジタルスチールカメラ、デジタルビデオカメラ、デジタルレコーダ、及びオーディオファイルプレーヤを備えることもできる。また、そのような無線電話は、インターネットにアクセスするのに用いることができるウェブインタフェースを備えることができる。従って、これらの無線電話は、有意なコンピューティング能力を備える。
【０００３】
新たな高性能の機能に対する要求が携帯用のシステムにおいて高まるにつれて、電力消費を削減し、電池寿命を延ばすために、システムレベルの電力管理が益々重要になってきた。携帯用の電子装置におけるデジタル処理の電力消費を削減することで、電池寿命を改善し、例えばカラーディスプレイやバックライティングといった他の機能が利用可能な電力量を増加させることができる。電力消費を削減すべく、回路設計者は種々の電力管理技法を採用してきた。
【０００４】
典型的な集積回路は、複数の埋め込まれた回路構造を備え得る基板だけでなく、当該基板に電気的に結合される１つ又は複数の集積回路装置を備える。そのような埋め込まれた回路構造による電力消費を削減するために、ある技法は複数の電力レギュレータを用いて複数の電源を生成するが、これは種々の埋め込まれた回路構造の電力要件を満たすために利用し得る。埋め込まれた回路構造の少なくとも１つは、他のものよりも少ない電力を使用し得るので、当該構造にはより低い電源を供給することによって、他のコンポーネントに対する全体的な電力量における電力を保存し得る。しかしながら、高電圧レギュレータは大きなチップ領域を消費してしまう。
【０００５】
電力消費を削減する他の技法は、電力が必要とされないときに、電源を切り替えて、埋め込まれた回路構造への電力を無効にすることに関与する。しかしながら、半導体製造技法が益々小さな装置を実現するにつれて、高電圧スイッチをそれに応じて小さくするのは困難であり得る。その上、そのようなスイッチはレイアウト及びルーティングの複雑化に寄与する。
【０００６】
従って、電力損失を削減する、改良された電力分配システム及び電力分配方法を提供することは有利であろう。
【発明の開示】
【０００７】
[概要]
本出願は、２００６年５月１０日に出願され"System and Method of Silicon Switched Power Delivery Using a Package"と題された米国出願第１１／４３１，７９０号に関連する。
【０００８】
特定の実施形態において、集積回路の第１の電力ドメインに電力を供給する第１のピンと、前記集積回路の第２の電力ドメインに電力を供給する第２のピンと、スイッチングレギュレータと、コントローラとを備える装置が開示される。スイッチングレギュレータは、前記第１のピンに結合されて、第１の調整された電源を前記第１の電力ドメインに供給し、且つ、前記第２のピンに結合されて、第２の調整された電源を前記第２の電力ドメインに供給する。コントローラは、前記第１のピンと前記第２のピンとに結合されて、低電力事象の期間に電流フローを選択的に低減する。特定の実施形態において、コントローラは、前記低電力事象に応答して前記電流フローを約１００ナノアンペア未満の電流レベルに制限するように適合される。
【０００９】
別の特定の実施形態において、電力管理集積回路は、第１の調整された電源を生成するバックコントローラと、第１のピンと、第２のピンと、ヘッドコントローラとを備える。前記第１のピンは、前記集積回路の第１の電力ドメインに結合され、前記バックコントローラに応答して前記第１の調整された電源を前記第１の電力ドメインに供給する。前記第２のピンは、前記集積回路の第２の電力ドメインに結合され、前記第１の調整された電源から得られる第２の調整された電源を前記第２の電力ドメインに供給する。前記ヘッドコントローラは、動作モードを判定し、前記動作モードが低電力モードを含むとき、前記第２のピンへの電流フローを選択的に実質的に低減するように適合される。
【００１０】
また別の特定の実施形態において、第１の調整された供給電圧を電力管理集積回路の第１のピンに供給し、第２の調整された供給電圧を前記電力管理集積回路の第２のピンに供給することを含む方法が提供される。本方法は更に、特定の動作モードにおいて、前記第２のピンへの電流フローを選択的に無効にする、又は実質的に低減することを含む。前記電力管理集積回路は、前記第１のピンに応答する第１の電力ドメインと前記第２のピンに応答する第２の電力ドメインを含む集積回路装置に結合される。特定の実施形態において、電流フローを選択的に無効にすることは、前記集積回路装置が低電力動作モードにあるとき、トランジスタを停止して、前記第２のピンへの電流フローを無効にする、又は低減することを含む。
【００１１】
電力管理集積回路の実施形態によって提供される１つの特定の利点は、半導体製造プロセスを、実行可能な、高電圧トランジスタ装置と共に利用して、漏洩電流を制限し得ることである。１つの特定の実施形態において、電力管理集積回路は、より古く、より低コストの半導体製造技術を用いて製造されてもよく、新たな及び／又はより高価な半導体製造技術で製造される回路装置に電力を供給するために利用され得る。
【００１２】
別の特定の利点は、電力管理集積回路の実施形態によって、ヘッドスイッチが無効であるときに、電力管理集積回路は電子装置の漏洩電流を約１００ナノアンペア未満の電流レベルに実質的に低減させる点において提供される。
【００１３】
更に別の特定の利点は、単独のレギュレータを電力管理集積回路内で利用して、調整された電源を集積回路装置の複数の電力ドメインに供給する点にある。単独のレギュレータの１つの特定の利点は、電力管理集積回路のコストが削減される点にある。更に、電力管理集積回路の単独のレギュレータは、電子装置の状態が、単独の電力ドメインを介して保持されることを可能にする。
【００１４】
集積回路装置に結合される電力管理集積回路の特定の実施形態のまた別の利点は、漏電電流を防止するために、集積回路に漏洩ゲーティングリソースが必要とされないことである。そのようなゲーティングリソースの必要性を除去することによって、集積回路設計プロセスの期間における集積回路装置の電源系経路の複雑性及び面積を削減することが可能になり得る。
【００１５】
本開示の他の側面、利点、及び特徴は、下記のセクションを含めて、出願全体を概観した後に明白になるであろう：図面の簡単な説明、詳細な説明、及び特許請求の範囲。
【詳細な説明】
【００１６】
本明細書に記載された実施形態の側面及び付随する利点は、添付の図面と共に以下の詳細な説明を参照することによって、より容易に明らかになるであろう。
【００１７】
図１Ａは、集積回路装置１０４と電力管理集積装置（ＰＭＩＣ）１０２の特定の実施形態を含む電子装置１００の例示的な実施形態のブロック図である。集積回路装置１０４は、第１の電力ドメイン１０６と第２の電力ドメイン１０８といった、複数の電力ドメインを備え得る。電力管理集積回路１０２は、スイッチングレギュレータ１１０、ロジック１１２、トランジスタ（スイッチ）１１４、第１のピン１１６及び第２のピン１１８を備え得る。スイッチングレギュレータ１１０は、第１のピン１１６に結合され、第２のピン１１８にスイッチ１１４を介して結合される。スイッチ１１４は、金属酸化膜半導体電界効果トランジスタ（ＭＯＳＦＥＴ）、電界効果トランジスタ（ＦＥＴ）、バイポーラ接合トランジスタ、又は、第２のピン１１８への電流フローを選択的に有効にする（enable）若しくは無効にする（disable）ロジック１１２によって制御され得る他の回路装置であってよい。一般に、スイッチ１１４は、ＰＭＩＣ技術のｎチャネルＭＯＳＦＥＴ又はｐチャネルＭＯＳＦＥＴであってよい。スイッチ１１４がｎチャネルＭＯＳＦＥＴ装置である場合、スイッチングレギュレータ１１０は集積回路装置１０４よりも高い電位であり得る。
【００１８】
スイッチ１１４は、第１のピン１１６に結合される第１のターミナル１２０、ロジック１１２に結合される制御ターミナル１２２、第２のピン１１８に結合される第２のターミナル１２４を備える。第１のピン１１６は、集積回路装置１０４の第１の電力ドメイン１０６に結合され、第２のピン１１８は、集積回路装置１０４の第２の電力ドメインに結合されてもよい。第３のピン１２６は、第１の電力ドメイン及び第２の電力ドメインのためにＰＭＩＣ１０２に接地接続を提供してもよい。
【００１９】
通常の動作モードにおいて、スイッチングレギュレータ１１０は第１のピン１１６に調整された電源（power supply）を供給する。ロジック１１２は、スイッチ１１４を制御ターミナル１２２を介して作動させて、調整された電源の少なくとも一部を第２のピン１１８に供給し得る。シャットオフイベント若しくは低電力事象の期間、又は他の省電力動作モードの期間に、ロジック１１２は選択的にスイッチ１１４を停止して、第２のピン１１８への電流フローを実質的に低減してもよい。第２のピン１１８への電流フローを低減することで、ロジック１１２は、集積回路装置１０４の第２の電力ドメイン１０８への電流フローを実質的に低減する。特定の実施形態において、スイッチングレギュレータ１１０は、第２のピン１１８への電流フローが低減された後に、第１のピン１１６及び第１の電力ドメイン１０６に電力を供給し続け得る。従って、スイッチングレギュレータ１１０を利用して、集積回路装置１０４の第２の電力ドメイン１０８に電力を選択的に供給し得る。
【００２０】
一般に、シンクロナスＤＲＡＭ（ＳＤＲＡＭ）及び他のメモリコンポーネントといったランダムアクセスメモリ（ＲＡＭ）は、有意な量の静的電力消費の原因となることが理解されるべきである。例えば、（日本のエルピーダメモリ社によって製造されるような）２５６ＭｂｉｔのＳＤＲＡＭは、通常の動作期間に１．８ボルトで２７５マイクロアンペア、又はビット毎に約１．８４４×１０−９ミリワットをも消費し得る。１．８ボルトでビット毎に１．０２ｐＡを消費するＳＤＲＡＭは、ビット毎に約１．８４ピコワットを消費する。ＰＭＩＣ１０２を利用して、ＳＤＲＡＭ装置を備え得る集積回路装置１０４の第２の電力ドメイン１０８への電力を選択的に停止することで、回路装置１００の電力消費は削減され得る。調整された電源を生成するために、スイッチングレギュレータ１１０といった単独のスイッチングレギュレータを利用することで、第１の電力ドメイン１０６といった１つの電力ドメインに対して一貫した電源を供給することができ、状態情報が第１の電力ドメイン１０６内のメモリロケーションで保持されることを可能にする一方で、第２の電力ドメイン１０８といった、集積回路装置１０４の他の電力ドメインに対する電力を有意に削減する。
【００２１】
図１Ｂは、集積回路装置１５４と電力管理集積回路（ＰＭＩＣ）１５２の特定の実施形態を含む電子装置１５０の別の例示的な実施形態のブロック図である。電子装置１５０は、フット切り替え構成（foot-switch configuration）に配置されたＰＭＩＣ１５２を備える。特に、集積回路装置１５４は、第１の電力ドメイン１５６及び第２の電力ドメイン１５８といった、複数の電力ドメインを備えてもよい。電力管理集積回路１５２は、スイッチングレギュレータ１６０、ロジック１６２、トランジスタ（スイッチ）１６４、第１のピン１６６、第２のピン１６８、及び第３のピン１７６を備え得る。スイッチングレギュレータ１６０は、第１の電力ドメイン１５６と第２の電力ドメイン１５８に第１のピン１６６を介して結合される。スイッチ１６４は、第２の電力ドメイン１５８に第２のピン１６８を介して結合される第１のターミナル１７０を含む。スイッチ１６４はまた、ロジック１６２に結合される制御ターミナル１７２と、ロジック１６２及び第３のピン１７６に結合される第２のターミナル１７４を含む。第１の電力ドメイン１５６は、ロジック１６２に第３のピン１７６を介して結合され得る。動作中には、ＰＭＩＣ１５２は、第１の電力ドメイン１５６にスイッチングレギュレータ１６０を介して電力を供給する一方で、スイッチ１６４を切って電流フローを低減することで、第２の電力ドメイン１５８を選択的に無効にしてもよい。
【００２２】
一般に、図１Ａ及び図１ＢのＰＭＩＣ１０２及びＰＭＩＣ１５２は、１つのスイッチ１１４よりも多くのスイッチを備えてもよく、集積回路装置１０４は複数の電力ドメインを備えてもよいことが理解されるべきである。特定の実施形態において、スイッチは、集積回路装置１０４の複数の電力ドメインのうちの選択された電力ドメインへの電力を無効にするために、選択的に停止され得る。
【００２３】
図２は、電力管理集積回路（ＰＭＩＣ）１０２の特定の実施形態の例示的な部分２００の図である。ＰＭＩＣ１０２は、スイッチングレギュレータ１１０といったスイッチングレギュレータとロジック１１２を備える。スイッチングレギュレータ１１０は、バックコントローラ（buck controller）２０４、第１のトランジスタ２０６、及び第２のトランジスタ２０８を備え得る。ロジック１１２はヘッドコントローラ２１０を備え得る。ＰＭＩＣ１０２はまた、第３のトランジスタ２１２、第１のピン第１のピン１１６、第２のピン１１８、第３のピン２１４及び第４のピン２１８を備え得る。第４のピン２１８は、図１ＡのＶＤＤといった電源ターミナルに結合されてもよい。
【００２４】
一般に、第１のトランジスタ２０６は、第４のピンに結合される第１のターミナル２２０、バックレギュレータ２０４に結合される制御ターミナル２２２、及び第３のピン２１４に結合される第２のターミナル２２４を備える。第２のトランジスタ２０８は、第３のピン２１４に結合される第１のターミナル２２６、バックコントローラ２０４に結合される制御ターミナル２２８、及び電圧供給ターミナルに結合される第２のターミナル２３０を備えるが、電圧供給ターミナルは電気的グランドであってもよい。第３のトランジスタ２１２は、第１のピン１１６に結合される第１のターミナル２３２、ヘッドコントローラ２１０に結合される制御ターミナル２３４、及び第２のピン１１８に結合される第２のターミナル２３６を備える。
【００２５】
外部のインダクタ２３８は、第３のピン２１４と第１のピン１１６との間に結合され得る。コンデンサ２４０は、第１のピン１１６と、第１の電力ドメインへの電源をフィルタリングする電圧供給ターミナルとの間に結合され得るが、これは電気的グランドであってもよい。コンデンサ２４２は、第２のピン１１８と、第２の電力ドメインへの電源をフィルタリングする電圧供給ターミナルとの間に結合され得るが、これは電気的グランドであってもよい。
【００２６】
特定の実施形態において、スイッチングレギュレータ１１０は、第１のピン１１６に結合されて、第１の調整された電源（power supply）を第１の電力ドメインに供給し、また第２のピン１１８に結合されて、第２の調整された電源を第２の電力ドメインに第３のトランジスタ２１２を介して供給する。ヘッドコントローラ２１０は、第３のトランジスタ２１２の制御ターミナル２３４に結合され、また第２のピン１１８に結合されて、低電力事象（low power event）といった期間に第３のトランジスタ２１２を選択的に停止にする。第３のトランジスタ２１２は高電圧トランジスタであってよく、第２の電力ドメインに第２の調整された電源を選択的に無効にするスイッチとして動作し得る。
【００２７】
動作時には、ヘッドコントローラ２１０は、第３のトランジスタ２１２を選択的に作動させて、通常の動作モードの期間に第２のピン１１８に電流フローを供給し得る。ヘッドコントローラ２１０は、第３のトランジスタ２１２を選択的に停止して、シャットダウンイベント、アイドルイベント、電力減少事象、又はこれらの任意の組み合わせといった低電力事象の期間に、第２のピン１１８への電流フローを実質的に低減させるかシャットオフし得る。ある特定の実施形態において、ヘッドコントローラ２１０は、第３のトランジスタ２１２を介した漏洩電流を、例えば約１００ナノアンペア未満の電流レベルまで実質的に低減させるように動作してもよい。
【００２８】
一般に、第３のトランジスタ２１２はヘッドコントローラ２１０と協力して、バックレギュレータ（例えば、バックコントローラ２０４、第１のトランジスタ２０６及び第２のトランジスタ２０８）によって供給される、調整された電圧供給を用いて、付加的な電圧レギュレータといった付加的なコンポーネントを用いることなく、第２のピン１１８にスイッチされた電源を供給する。第１のピン１１６は、バックレギュレータ２０４から調整された出力を受け取り、第２のピン１１６は、第３のトランジスタ（ヘッドスイッチ）２１２を介して調整された出力から生成される調整されていない出力を受け取る。特定の実施形態において、第３のトランジスタ２１２は、１００ｍＡの負荷が第２のピン１１８に結合されるときに約５ｍＶの電圧効果をもたらすように設計されることができる。
【００２９】
一般に、回路設計プロセスは通常、処理、電圧、及び温度（process, voltage, and temperature）（PVT）における変化を含む、種々の動作状況下で正確な回路動作を確立及び保持することを含む。従って、アナログ回路の動作モデリングは通常、考え得るＰＶＴ値での集積回路の動作を正確に表すように集積回路モデルを拡張することを含む。例えば、５ｍＶのＤＣ損失仕様を満たすために、第３のトランジスタ２１２は、ＰＶＴ値で一定のパフォーマンスを維持するのに充分に小さなオン抵抗を有するように設計されるべきである。例えば、ＰＭＩＣ１０２の損失抵抗の総計（R_loss）は、オン抵抗（R_on）、ルーティング抵抗（R_routing）、及びパッケージ抵抗（R_package）の合計として、以下の様に書き得る。  
R_loss = R_on + R_routing + R_package      （方程式１）  
R_lossの最大値が約５０モーム（mohms）で、R_package及びR_routingがそれぞれ約１０モーム及び約２０モームの場合、オン抵抗（R_on）の最大値は、あらゆるＰＶＴを通して約２０モーム未満であるべきである。特定の実施形態において、オン抵抗は、約７モーム未満である。
【００３０】
特定の実施形態において、出力電圧仕様は、第３のトランジスタ２１２の中間電圧のｎチャネル電界効果トランジスタ（ＮＦＥＴ）を特定する。チャータード社の０．１８ｎｍの高電圧相補形金属酸化膜半導体（ＣＭＯＳ）処理の中間電圧ＮＦＥＴのオン抵抗のデータは、以下の方程式に従って予測され得る。  
【数１】
2009536815.tif 000003
【００３１】
オン抵抗が約７モームである場合、第３のトランジスタのレイアウト領域は０．５ｍｍ２と予測され得る。特定の実施形態において、１平方ミリメートル当たり約２．４セントという予測されたウェーハの価格は、第３のトランジスタ２１２についてのシリコンのコストが１．２セントであることを示す。
【００３２】
特定の実施形態において、ＰＭＩＣ１０２と、（図１Ａの集積回路装置１０４といった）複数の電力ドメインを備える関連付けられた集積回路とは、異なる半導体製造技術を用いて製造され得る。例えば、ＰＭＩＣ１０２は、０．１８ｎｍの高電圧ＣＭＯＳ処理を用いて製造され得る一方で、集積回路装置１０４は、４５ｎｍの処理を用いて製造され得る。別の特定の実施形態において、ＰＭＩＣ１０２は４５ｎｍの技術を用いて製造されてもよく、集積回路装置は１００ｎｍの技術を用いて製造されてもよい（例えば、ＰＭＩＣ１０２は、より古い製造技術を用いて製造され得る一方で、図１Ａの集積回路装置１０４といった集積回路装置は、より新たな製造技術を用いて製造され得る）。
【００３３】
図３は、図２の電力管理集積回路（ＰＭＩＣ）１０２の特定の例示的な実施形態の一部３００の図である。ＰＭＩＣ１０２は、スイッチングレギュレータ１１０、ロジック１１２、及び図２の一部２００の他の要素だけでなく、第３のトランジスタ２１２と並列に配置された第４のトランジスタ３０２を備え得る。第４のトランジスタ３０２は、第１のピン１１６に結合された第１のターミナル３０４、第３のトランジスタ２１２の制御ターミナル２３４に結合された制御ターミナル３０６、及び第２のピン１１８に結合された第２のターミナル３０６を備え得る。
【００３４】
動作時には、第４のトランジスタ３０２は、通常の動作期間に第３のトランジスタ２１２の前後での電圧降下を、第３のトランジスタ２１２と第４のトランジスタ２１４との間の電流フローを分割することで幾分減少させ得る。更に、第３のトランジスタ２１２と第４のトランジスタ３０２とを作動させることによって、さもなければ第３のトランジスタ２１２の定格電流を超えることなく可能であろうよりも多くの電流が第２のピン１１８に流れ得る。低電力事象又はシャットダウンイベントの期間、ヘッドコントローラ２１０は第３のトランジスタ２１２と第４のトランジスタ３０２とを停止させて、第２のピン１１８への電流フローを止め、漏洩を減少させ得る。特定の実施形態において、漏洩電流は、約１００ナノアンペア未満のレベルに低減され得る。
【００３５】
図４は、電力管理集積回路（ＰＭＩＣ）１０２の別の特定の実施形態の一部４００の特定の例示的な実施形態の例示的な図である。ＰＭＩＣ１０２は、スイッチングレギュレータ１１０とロジック１１２を供える。この特定の例示的な実施形態において、ロジック１１２は、第１の低ドロップアウトレギュレータ４０２と第２の低ドロップアウトレギュレータ４０４を備える。本明細書においては、低ドロップアウトレギュレータは、調整された電圧供給を低い電圧降下（例えば、低い電力消費）で供給する電圧レギュレータを備え得る。線４０６は、低ドロップアウトレギュレータ４０２及び４０４を第１のピン１１６に結合する。第１の低ドロップアウトレギュレータ４０２は、第２のピン１１８に結合されて、スイッチングレギュレータ１１０によって第１のピン１１６に供給される第１の調整された電源から得られる第２の調整された電源を供給し、第２の低ドロップアウトレギュレータ４０４は第５のピン４０８に結合される。この実施形態において、第１のピン１１６は、（図１Ａの集積回路装置１０４といった）回路装置の第１の電力ドメインに結合されて、第１の調整された電源を第１の電力ドメインに供給してもよい。第２のピン１１８は、回路装置の第２の電力ドメインに結合されて、第２の調整された電源を第２の電力ドメインに供給してもよい。第５のピン４０８は、回路装置の第３の電力ドメインに結合されて、第３の調整された電源（power supply）を第３の電力ドメインに供給してもよい。ロジック１１２は複数の低ドロップアウトレギュレータを備えてもよく、低ドロップアウトレギュレータの各々を選択的に制御して、集積回路の関連付けられた電力ドメインへの調整された電源を有効及び無効にするように適応されてもよい。コンデンサ４１０は、第５のピン４０８と電圧供給ターミナルとの間に結合され得るが、これは第３の電力ドメインへの電源をフィルタリングする電気的グランドであってもよい。
【００３６】
このアプローチにおいて、スイッチングレギュレータ１１０は、第１の調整された電源を第１のピン１１６に供給し、低ドロップアウトレギュレータ４０２及び４０４は、それぞれ第２及び第３の調整された電源を第１の調整された電源に基づいて生成する。低ドロップアウトレギュレータ４０２及び４０４は、（互いに５ｍＶの範囲といった）ほぼ一致した電源を供給するように設計されることができる。特定の実施形態において、第１の低ドロップアウト（ＬＤＯ）レギュレータ４０２は、約３００ｍＡのＬＤＯレギュレータであってよく、第２のＬＤＯレギュレータ４０４は約１５０ｍＡのＬＤＯレギュレータであってよい。第１のＬＤＯレギュレータ４０２及び第２のＬＤＯレギュレータ４０４のレイアウト領域は、それぞれ約０．１７ｍｍ２及び０．１１ｍｍ２と予測され得る。２つのＬＤＯレギュレータ４０２及び４０４のシリコンのコストの合計は、約０．６７セントであり得る。
【００３７】
特定の実施形態において、スイッチングレギュレータ１１０は高電圧電力レギュレータであってもよい。ＬＤＯレギュレータ４０２及び４０４は、より低い電圧レギュレータであってもよく、これらはスイッチングレギュレータ１１０から電力を得るように適応される。従って、ＬＤＯレギュレータ４０２及び４０４は、スイッチングレギュレータ１１０よりも少ないシリコン領域を用いて製造され得る。
【００３８】
図５は、図１−図４に係る電力管理集積回路１０２を備え、複数の電力ドメインを有する集積回路装置１０４を備えるシステム５００のブロック図である。集積回路装置１０４は、ＶＣ１Ｚ１電力ドメイン５０２、分散電力ドメイン５０４、ＶＣ１Ｚ３電力ドメイン５０６、分散電力ドメイン５０８、ＶＣＣ１電力ドメイン５１０、分散電力ドメイン５１２及び５１４、ＶＣ１Ｚ２電力ドメイン５１６、ＶＣ２Ｚ１電力ドメイン５１８、及びＶＣＣ２電力ドメイン５２０を含む、複数の電力ドメインを備え得る。電力管理集積回路（ＰＭＩＣ）１０２は、図１−図４に示されるように、１つ又は複数の調整された電源を、１つ又は複数の電力ドメインに、単独のスイッチングレギュレータを用いて供給するように適合されてもよい。例えば、ＰＭＩＣ１０２は、第１の調整された電源ＶＲＥＧをＶＣ１Ｚ１電力ドメイン５０２に線５２２を介して供給し得る。ＰＭＩＣ１０２はまた、第２の電源（Ｖ２）をＶＣ１Ｚ２電力ドメイン５１６に線５２４を介して、第３の電源（Ｖ３）をＶＣ２Ｚ１電力ドメイン５１８に線５２６を介して、第４の電源（Ｖ４）をＶＣ１Ｚ３電力ドメイン５０６に線５２８を介して供給し得る。第２、第３及び第４の電源（Ｖ２、Ｖ３、及びＶ４）は、ＰＭＩＣ１０２が図１−図３の特定の配置を備える場合は調整されなくてもよく、ＰＭＩＣ１０２が図４の特定の配置を備える場合は調整されてもよい。
【００３９】
図６は、システムの電力管理集積回路の少なくとも１つのピンへの電流フローを実質的に低減するか、選択的に無効にする方法のフロー図である。電源は、電力管理集積回路で電圧供給ターミナルから受け取ってもよい（ブロック６００）。第１の調整された供給電圧（supply voltage）は、電力管理集積回路の第１のピンへ供給される（ブロック６０２）。システムが通常の動作モードにあるとき（ブロック６０４）、電流フローは、第２のピンに対して選択的に有効にされるが、第２のピンは、第１のピンに応答する第１の電力ドメインと、第２のピンに応答する第２の電力ドメインを備える集積回路装置の第２の電力ドメインに結合される（ブロック６０６）。一般に、電流フローは、（図２及び図３の第３のトランジスタ２１２といった）トランジスタを作動させることで、選択的に有効にされて、第２のピンへの電流フローを有効にしてもよい。システムが通常の動作モードにない場合、例えば、システムが低電力又は電力オフ動作モードにあるとき、電流フローは第２のピンに対して選択的に無効にされ得る（ブロック６０８）。電圧レベルは、第１の電力ドメイン又は第２の電力ドメインのうちの１つに合わせて随意的に調整され（scaled）てもよい（ブロック６１０）。特定の実施形態において、（図１Ａのロジック１１２といった）ＰＭＩＣのロジックは、電圧レベルを集積回路装置の１つ又は複数の電力ドメインに調整する（scale）ように動作して、例えば電源をコラプシブルな（collapsible）電力ドメインに調整又は調節してもよい。
【００４０】
特定の実施形態において、電流フローは、１つ又は複数のトランジスタ（例えば、図３の第３のトランジスタ２１２及び第４のトランジスタ３０２）を停止させることによって選択的に無効にされ、（図１−図４の第２のピン１１８といった）第２のピンへの電流フローを実質的に低減してもよい。特定の実施形態において、第２のピンへの電流フローを、約１００ナノアンペア未満の電流レベルに減少することで、第２の電力ドメインへの電力を減少させてもよい。
【００４１】
特定の実施形態において、方法は、集積回路装置の状態を保持するために、低電力モードの期間に、電力を、メモリを備え得る第１の電力ドメインに供給するために調整された電源を第１のピンに供給することを含み得る。特定の実施形態において、第１の調整された電源と第２の調整された電源は、異なる電力レベルであってよい。例えば、電力管理集積回路は、集積回路の複数の電力ドメインの各ドメインに対して異なる調整された電源を供給してもよく、電源の各々は選択的に停止にされてもよい。
【００４２】
図７は、概して７００と付される携帯可能な通信装置の例示的で、限定的でない実施形態を示す。図７に示されるように、携帯可能な通信装置は、汎用プロセッサ、デジタル信号プロセッサ、アドバンスト縮小命令セットマシンプロセッサ、又はこれらの任意の組み合わせであり得る処理ユニット７１０を含むオンチップシステム７２２を備える。図７はまた、処理ユニット７１０及びディスプレイ７２８に結合されるディスプレイコントローラ７２６を示す。更に、入力装置７３０は、処理ユニット７１０に結合される。図示のように、メモリ７３２は処理ユニット７１０に結合される。また、コーダ／デコーダ（ＣＯＤＥＣ）７３４は、処理ユニット７１０に結合することができる。スピーカ７３６及びマイク７３８は、ＣＯＤＥＣ７３０に結合されることができる。特定の実施形態において、処理ユニット７１０、ディスプレイコントローラ７２６、メモリ７３２、ＣＯＤＥＣ７３４、他のコンポーネント、又はこれらの任意の組み合わせは、図１−図６に示され、本明細書に記載されるように、電力を電力管理集積回路（ＰＭＩＣ）７５７の１つ又は複数のピンを介して受け取り得る。
【００４３】
図７はまた、無線コントローラ７４０は、処理ユニット７１０と無線アンテナ７４２に結合することができることを示す。特定の実施形態において、電源７４４は、オンチップシステム７２２に結合される。更に、特定の実施形態において、図７に示されるように、ディスプレイ７２８、入力装置７３０、スピーカ７３６、マイク７３８、無線アンテナ７４２、及び電源７４４は、オンチップシステム７２２の外部にある。しかしながら、各々がオンチップシステム７２２のコンポーネントに結合される。ＰＭＩＣ７５７は、電源７４４に結合されて、調整されていない電源を受け取ってもよいが、ＰＭＩＣ７５７は当該電力を利用して調整された電力を生成し、集積回路装置の１つ又は複数の電力ドメインへの電力を選択的に起動し得るが、これは（処理ユニット７１０、無線コントローラ７４０、メモリ７３２、ディスプレイコントローラ７２６及びＣＯＤＥＣ７３４といった）１つ又は複数の要素を備え得る。
【００４４】
特定の実施形態において、処理ユニット７１０は、携帯可能な通信装置７００の種々のコンポーネントによって必要とされる動作及び機能を実行するために必要なプログラムに関連付けられる命令を処理し得る。例えば、無線通信セッションが無線アンテナを介して確立されるとき、ユーザはマイク７３８に向かって話すことができる。ユーザの音声を表す電気信号は、符号化されるためにＣＯＤＥＣ７３４に送られることができる。処理ユニット７１０は、ＣＯＤＥＣ７３４のためにデータ処理を実行し、マイクからの電気信号を符号化することができる。更に、無線アンテナ７４２を介して受信される、入来する信号は、無線コントローラ７４０によってＣＯＤＥＣ７３４に送信されて復号化され、スピーカ７３６に送られる。処理ユニット７１０はまた、無線アンテナ７４２を介して受信した信号を復号化するときに、ＣＯＤＥＣ７３４のためにデータ処理を実行することもできる。
【００４５】
更に、無線通信セッションの前、無線通信セッションの期間中、又は無線通信セッションの後に、処理ユニット７１０は、入力装置７３０から受け取った入力を処理することができる。例えば、無線通信セッションの期間中に、ユーザは入力装置７３０及びディスプレイ７２８を用いて、携帯可能な通信装置７００のメモリ７３２内に埋め込まれたウェブブラウザを介してインターネットをサーフィンし得る。
【００４６】
図８を参照するに、無線電話の例示的で、限定的でない実施形態が示され、概して８００と付されている。図示のように、無線電話８００は、互いに結合されたデジタルベースバンドプロセッサ８１０とアナログベースバンドプロセッサ８２６を含む、オンチップシステム８２２を備える。あるいは、無線電話８００は、デジタル信号処理又はアナログ信号処理だけでなく、他の動作を実行するために、プロセッサ読み取り可能な命令を実行するように適合された、汎用プロセッサを備えてもよい。特定の実施形態において、汎用プロセッサ（図示せず）は、プロセッサ読み取り可能な命令を実行するためにデジタルベースバンドプロセッサ８１０及びアナログベースバンドプロセッサ８２６に加えて備えられてもよい。図８に示されるように、ディスプレイコントローラ８２８とタッチスクリーンコントローラ８３０は、デジタルベースバンドプロセッサ８１０に結合される。同様に、オンチップシステム８２２の外部のタッチスクリーンディスプレイ８３２は、ディスプレイコントローラ８２８とタッチスクリーンコントローラ８３０とに結合される。特定の実施形態において、デジタルベースバンドプロセッサ８１０、アナログベースバンドプロセッサ８２６、ディスプレイコントローラ８２８、タッチスクリーンコントローラ８３０、他のコンポーネント、又はこれらの任意の組み合わせは、電力を、図１−図６に示され、本明細書に記載されるＰＭＩＣ装置といった、電力管理集積回路（ＰＭＩＣ）８５７から受け取ってもよい。
【００４７】
図８は更に、ビデオエンコーダ８３４、例えば位相反転線（ＰＡＬ）エンコーダ、セカム（sequential couleur avec memoire）エンコーダ、又はＮＴＳＣ（national television system(s) committee）エンコーダが、デジタルベースバンドプロセッサ８１０に結合されることを示す。更に、ビデオアンプ８３６は、ビデオエンコーダ８３４とタッチスクリーンディスプレイ８３２とに結合される。また、ビデオポート８３８は、ビデオアンプ８３６に結合される。図８に示されるように、ユニバーサルシリアルバス（ＵＳＢ）コントローラ８４０は、デジタルベースバンドプロセッサ８１０に結合される。また、ＵＳＢポート８４２は、ＵＳＢコントローラ８４０に結合される。メモリ８４４と加入者識別モジュール（ＳＩＭ）カード８４６はまた、デジタルベースバンドプロセッサ８１０に結合することができる。更に、図８に示されるように、デジタルカメラ８４８は、デジタルベースバンドプロセッサ８１０に結合することができる。例示的な実施形態において、デジタルカメラ８４８は、電荷結合素子（ＣＣＤ）カメラ又は相補形金属酸化膜半導体（ＣＭＯＳ）カメラである。
【００４８】
図８に更に示されるように、ステレオオーディオＣＯＤＥＣ８５０は、アナログベースバンドプロセッサ８２６に結合することができる。更に、オーディオアンプ８５２は、ステレオオーディオＣＯＤＥＣ８８０に結合することができる。例示的な実施形態において、第１のステレオスピーカ８５４と第２のステレオスピーカ８５６は、オーディオアンプ８５２に結合される。図８は、マイクアンプ８５８を、ステレオオーディオＣＯＤＥＣ８５０に結合することもできることを示す。また、マイク８６０は、マイクアンプ８５８に結合することができる。特定の実施形態において、周波数変調（ＦＭ）ラジオチューナ８６２は、ステレオオーディオＣＯＤＥＣ８５０に結合することができる。また、ＦＭアンテナ８６４は、ＦＭラジオチューナ８６２に結合される。更に、ステレオヘッドホン８６６は、ステレオオーディオＣＯＤＥＣ８５０に結合することができる。
【００４９】
図８は更に、無線周波数（ＲＦ）トランシーバ８６８は、アナログベースバンドプロセッサ８２６に結合することができることを示す。ＲＦスイッチ８７０は、ＲＦトランシーバ８６８とＲＦアンテナ８７２とに結合することができる。図８に示すように、キーパッド８４７は、アナログベースバンドプロセッサ８２６に結合することができる。また、マイク付モノラルヘッドセット８７６は、アナログベースバンドプロセッサ８２６に結合することができる。更に、バイブレータ装置８７８は、アナログベースバンドプロセッサ８２６に結合することができる。図８はまた、電源８８０はオンチップシステム８２２に結合できることを示す。特定の実施形態において、電源８８０は、電力を要する無線電話８００の種々のコンポーネントに電力を供給する直流（ＤＣ）電源である。更に、特定の実施形態において、電源は再充電可能なＤＣバッテリ、又はＡＣ電源に接続される交流（ＡＣ）からＤＣへの変圧器から得られるＤＣ電源である。ＰＭＩＣ８５７は、電源８８０に結合されて、調整されていない電源を受け取り得るが、ＰＭＩＣ８５７はこれを利用して、調整された電力を生成してもよい。ＰＭＩＣ８５７は、調整された電力を集積回路装置の１つ又は複数の電力ドメインに供給し得るが、当該装置は（ディスプレイコントローラ８２８、デジタル信号プロセッサ８１０、ＵＳＢコントローラ８４０、タッチスクリーンコントローラ８３０、ビデオアンプ８３６、ＰＡＬ／ＳＥＣＡＭ／ＮＴＳＣエンコーダ８３４、メモリ８４４、ＳＩＭカード８４６、オーディオアンプ８５２、マイクアンプ８５８、ＦＭラジオチューナ８６２、ステレオオーディオＣＯＤＥＣ８５０、アナログベースバンドプロセッサ８２６、及びＲＦトランシーバ８６８といった）１つ又は複数の要素を含み得る。集積回路装置の電力ドメインは、１つ又は複数の要素を備え得る。電力制御ユニット８５７は、図１−図６に関して上述したように、１つ又は複数の電力ドメインに対して選択的に電力を起動し得る。
【００５０】
特定の実施形態において、図８に示されるように、タッチスクリーンディスプレイ８３２、ビデオポート８３８、ＵＳＢポート８４２、カメラ８４８、第１のステレオスピーカ８５４、第２のステレオスピーカ８５６、マイク８６０、ＦＭアンテナ８６４、ステレオヘッドホン８６６、ＲＦスイッチ８７０、ＲＦアンテナ８７２、キーパッド８７４、モノラルヘッドセット８７６、バイブレータ８７８、及び電源８８０は、オンチップシステム８２２の外部にある。
【００５１】
図９を参照するに、無線インターネットプロトコル（ＩＰ）電話の例示的で、限定的でない実施形態が示され、概して９００と付される。図示のように、無線ＩＰ電話９００は、処理ユニット９０４を含むオンチップシステム９０２を備える。処理ユニット９０４は、デジタル信号プロセッサ、汎用プロセッサ、アドバンストＲＩＳＣ（reduced instruction set computing）マシンプロセッサ、アナログ信号プロセッサ、プロセッサ読み取り可能な命令の組を実行するプロセッサ、又はこれらの任意の組み合わせであってよい。図９に示すように、ディスプレイコントローラ９０６は処理ユニット９０４に結合され、ディスプレイ９０８はディスプレイコントローラ９０６に結合される。特定の実施形態において、ディスプレイ９０８は液晶ディスプレイ（ＬＣＤ）である。キーパッド９１０は、処理ユニット９０４に結合することができる。特定の実施形態において、処理ユニット９０４、ディスプレイコントローラ９０６、他のコンポーネント、又はこれらの任意の組み合わせは、図１−図６に示され、本明細書に記載されるような、電力管理集積回路（ＰＭＩＣ）９５７を介して電力を受け取り得る。
【００５２】
図９に更に示されるように、フラッシュメモリ９１２は、処理ユニット９０４に結合することができる。シンクロナスＤＲＡＭ（ＳＤＲＡＭ）９１４、スタティックＲＡＭ（ＳＲＡＭ）９１６、及び電気的消去プログラム可能ＲＯＭ（ＥＥＰＲＯＭ）９１８もまた、処理ユニット９０４に結合することができる。図９はまた、発行ダイオード（ＬＥＤ）９２０は処理ユニット９０４に結合することができることを示す。また、特定の実施形態において、音声ＣＯＤＥＣ９２２は処理ユニット９０４に結合することができる。アンプ９２４は、音声ＣＯＤＥＣ９２２に結合することができ、モノラルスピーカ９２６はアンプ９２４に結合することができる。図９は更に、モノラルヘッドセット９２８もまた、音声ＣＯＤＥＣ９２２に結合できることを示す。特定の実施形態において、モノラルヘッドセット９２８はマイクを含む。
【００５３】
図９はまた、無線ローカルエリアネットワーク（ＷＬＡＮ）ベースバンドプロセッサ９３０は処理ユニット９０４に結合できることを示す。ＲＦトランシーバ９３２は、ＷＬＡＮベースバンドプロセッサ９３０に結合することができ、ＲＦアンテナ９３４は、ＲＦトランシーバ９３２に結合することができる。特定の実施形態において、Bluetooth（登録商標）コントローラ９３６も処理ユニット９０４に結合することができ、Bluetooth（登録商標）アンテナ９３８は、コントローラ９３６に結合することができる。ＵＳＢポート９４０は、処理ユニット９０４に結合されてもよい。更に、電源９４２は、オンチップシステム９０２に結合され、無線ＩＰ電話９００の種々のコンポーネントにＰＭＩＣ９５７を介して電力を供給する。
【００５４】
特定の実施形態において、図９に示されるように、ディスプレイ９０８、キーパッド９１０、ＬＥＤ９２０、モノラルスピーカ９２６、モノラルヘッドセット９２８、ＲＦアンテナ９３４、Bluetooth（登録商標）アンテナ９３８、ＵＳＢポート９４０、及び電源９４２は、オンチップシステム９０２の外部にある。しかしながら、これらのコンポーネントの各々は、オンチップシステム９０２の１つ又は複数のコンポーネントに結合される。無線ＶｏＩＰ装置９００は、ＰＭＩＣ９５７を備えるが、これは電源９４２に結合されて、調整されていない電源を受け取ってもよく、ＰＭＩＣ９５７は、これを利用して調整された電源を生成してもよい。オンチップシステム９０２が複数の電力ドメインを備えるとき、ＰＭＩＣ９５７は調整された電源をオンチップシステムの複数の電力ドメインのうちの１つ又は複数に選択的に供給し得る。オンチップシステム９０２の電力ドメインは、ディスプレイコントローラ９０６、アンプ９２４、音声ＣＯＤＥＣ９２２、処理ユニット９０４、フラッシュメモリ９１２、ＳＤＲＡＭ９１４、ＳＲＡＭ９１６、ＥＥＰＲＯＭ９１８、ＲＦトランシーバ９３２、ＷＬＡＮ  ＭＡＣベースバンドプロセッサ９３０、及びBluetoothコントローラ９３６といった、１つ又は複数の要素を備え得る。電力制御ユニット９５７は、図１−図６に関して上述したように、１つ又は複数の電力ドメインに対する電力を選択的に起動し得る。
【００５５】
図１０は、概して１０００と付される、携帯可能なデジタルアシスタント（ＰＤＡ）の例示的な、限定的でない実施形態を示す。図示されるように、ＰＤＡ１０００は、処理ユニット１００４を含むオンチップシステム１００２を備える。図１０に示されるように、タッチスクリーンコントローラ１００６とディスプレイコントローラ１００８は、処理ユニット１００４に結合される。更に、タッチスクリーンディスプレイ１０１０は、タッチスクリーンコントローラ１００６と、ディスプレイコントローラ１００８とに結合される。図１０はまた、キーパッド１０１２は処理ユニット１００４に結合できることを示す。特定の実施形態において、処理ユニット１００４、タッチスクリーンコントローラ１００６、ディスプレイコントローラ１００８、他のコンポーネント、又はこれらの任意の組み合わせは、図１−図６に示され、本明細書に記載されるように、電力管理集積回路（ＰＭＩＣ）１０５７を介して電力を受け取り得る。
【００５６】
図１０に更に示されるように、フラッシュメモリ１０１４は処理ユニット１００４に結合することができる。処理ユニット１００４は、デジタル信号プロセッサ（ＤＳＰ）、汎用プロセッサ、アドバンストＲＩＳＣマシン、アナログ信号プロセッサ、プロセッサ読み取り可能な命令の組を実行するように適合されたプロセッサ、又はこれらの任意の組み合わせであってよい。また、読み出し専用メモリ（ＲＯＭ）１０１６、ダイナミックＲＡＭ（ＤＲＡＭ）１０１８、及び電気的消去プログラム可能ＲＯＭ（ＥＥＰＲＯＭ）１０２０は、処理ユニット１００４に結合することができる。図１０はまた、ＩｒＤＡ（infrared data association）ポート１０２２は処理ユニット１００４に結合することができることを示す。また、特定の実施形態において、デジタルカメラ１０２４は、処理ユニット１００４に結合することができる。
【００５７】
図１０に示すように、特定の実施形態において、ステレオオーディオＣＯＤＥＣ１０２６は処理ユニット１００４に結合することができる。第１のステレオアンプ１０２８は、ステレオオーディオＣＯＤＥＣ１０２６に結合することができ、第１のステレオスピーカ１０３０は第１のステレオアンプ１０２８に結合することができる。また、マイクアンプ１０３２は、ステレオオーディオＣＯＤＥＣ１０２６に結合することができ、マイク１０３４は、マイクアンプ１０３２に結合することができる。図１０は更に、第２のステレオアンプ１０３６は、ステレオオーディオＣＯＤＥＣ１０２６と第２のステレオスピーカ１０３８とに結合することができることを示す。特定の実施形態において、ステレオヘッドホン１０４０はまた、ステレオオーディオＣＯＤＥＣ１０２６に結合することができる。
【００５８】
図１０はまた、８０２．１１コントローラ１０４２は、処理ユニット１００４に結合することができ、８０２．１１アンテナ１０４４は８０２．１１コントローラ１０４２に結合できることを示す。更に、Bluetooth（登録商標）コントローラ１０４６は、処理ユニット１００４に結合することができ、Bluetooth（登録商標）アンテナ１０４８はBluetooth（登録商標）コントローラ１０４６に結合することができる。図１０に示すように、ＵＳＢコントローラ１０５０は、処理ユニット１００４に結合することができ、ＵＳＢポート１０５２はＵＳＢコントローラ１０５０に結合することができる。また、スマートカード１０５４、例えばマルチメディアカード（ＭＭＣ）又はセキュアデジタルカード（ＳＤ）は、処理ユニット１００４に結合することができる。更に、図１０に示すように、電源１０５６は、オンチップシステム１００２のＰＭＩＣ１０５７に結合されて、ＰＤＡ１０００の種々のコンポーネントに電力を供給してもよい。
【００５９】
特定の実施形態において、図１０に示されるように、ディスプレイ１０１０、キーパッド１０１２、ＩｒＤＡポート１０２２、デジタルカメラ１０２４、第１のステレオスピーカ１０３０、マイク１０３４、第２のステレオスピーカ１０３８、ステレオヘッドホン１０４０、８０２．１１アンテナ１０４４、Bluetooth（登録商標）アンテナ１０４８、ＵＳＢポート１０５２、及び電源１０５６は、オンチップシステム１００２の外部にある。しかしながら、これらのコンポーネントの各々は、オンチップシステム１００２の１つ又は複数のコンポーネントに結合される。ＰＭＩＣ１０５７は、電源１０５６に結合されて、調整されていない電源を受け取ってもよく、ＰＭＩＣ１０５７はこれを利用して調整された電源を生成してもよい。ＰＭＩＣ１０５７は、オンチップシステム１００２の１つ又は複数の電力ドメインに電力を供給し得るが、オンチップシステム１００２は、（ディスプレイコントローラ１００８、タッチスクリーンコントローラ１００６、ステレオアンプ１０２８、マイクアンプ１０３２、ステレオアンプ１０３６、処理ユニット１００４、ステレオオーディオＣＯＤＥＣ１０２６、フラッシュメモリ１０１４、ＲＯＭ１０１６、ＤＲＡＭ１０１８、ＥＥＰＲＯＭ１０２０、８０２．１１コントローラ１０４２、Bluetooth（登録商標）コントローラ１０４６、ＵＳＢコントローラ１０５０、及びスマートカードＭＭＣ  ＳＤ１０５４といった）１つ又は複数の要素を備え得る。オンチップシステム１００２の電力ドメインは、これらの要素のうちの１つ又は複数を備えてもよく、電力制御ユニット１０５７は、図１−図６に関して上述されたように、１つ又は複数の電力ドメインへの電力を選択的に起動してもよい。
【００６０】
本明細書に開示される実施形態に関連して記載される、種々の例示的な論理ブロック、構成、モジュール、回路及びアルゴリズムのステップは、電気ハードウェア、コンピュータソフトウェア、又はこれらの組み合わせとして実施され得る。ハードウェアとソフトウェアの互換性を明確に例証するため、種々の例示的なコンポーネント、ブロック、構成、モジュール、回路及びステップは、一般にそれらの機能性の観点から上述されている。そのような機能性がハードウェアとして実施されるかソフトウェアとして実施されるかは、システム全体に課される設計制約と特定の応用例に依存する。熟達した熟練工は、記載された機能性を特定の応用例各々について様々な方法で実施し得るが、そのような実施上の決定は、本開示の範囲からの逸脱をもたらすものとして解釈されるべきではない。
【００６１】
本明細書に開示される実施形態に関連して記載されるアルゴリズム又は方法のステップは、直接ハードウェアで、プロセッサによって実行されるソフトウェアモジュールで、又はこの２つの組み合わせで具現化され得る。ソフトウェアモジュールは、ＲＡＭメモリ、フラッシュメモリ、ＲＯＭメモリ、ＰＲＯＭメモリ、ＥＰＲＯＭメモリ、ＥＥＰＲＯＭメモリ、レジスタ、ハードディスク、リムーバブルディスク、ＣＤ−ＲＯＭ、又は当技術分野で公知の記憶媒体の任意の他の形態に存在し得る。例示的な記憶媒体は、プロセッサが当該記憶媒体から情報を読み出し、当該記憶媒体に情報を書き込むことができるように、プロセッサに結合され得る。代案では、記憶媒体はプロセッサと一体であってもよい。プロセッサと記憶媒体は、ＡＳＩＣに存在し得る。ＡＳＩＣは、コンピューティングデバイス又はユーザ端末に存在し得る。代案では、プロセッサと記憶媒体は、コンピューティングデバイス又はユーザ端末に別個のコンポーネントとして存在してもよい。
【００６２】
開示される実施形態の先の記載は、如何なる当業者も本開示を作成又は使用することを可能にするために提供される。そのような開示された実施形態への種々の変形は、当業者には容易に明白となるであろうし、本明細書に定義される一般的な原理は、本開示の範囲又は精神から逸脱することなく他の実施形態に適用し得る。従って、本開示は、本明細書に示される実施形態に限定されることを意図するものではないが、添付の特許請求の範囲によって定義される新規な特徴及び原理と合致する最も広範な範囲に一致すべきものである。
【図面の簡単な説明】
【００６３】
【図１Ａ】図１Ａは、ヘッド切り替え構成（head switch configuration）の電力管理集積回路の特定の実施形態を含む電子装置の例示的な実施形態の図である。
【図１Ｂ】図１Ｂは、フット切り替え構成（foot switch configuration）の電力管理集積回路の特定の実施形態を含む電子装置の別の実施形態の図である。
【図２】図２は、電力管理集積回路の特定の実施形態の例示的な部分の図である。
【図３】図３は、図２の電力管理集積回路の別の特定の実施形態の例示的な部分の図である。
【図４】図４は、電力管理集積回路の別の特定の例示的な実施形態の例示的な部分の図である。
【図５】図５は、図１−図４に係る電力管理集積回路を備え、複数の電力ドメインを有する集積回路装置の特定の例示的な実施形態のブロック図である。
【図６】図６は、電力管理集積回路の少なくとも１つのピンへの電流フローを選択的に無効にする方法の特定の例示的な実施形態のフロー図である。
【図７】図７は、図１−図６の方法及びシステムが用いられ得るメモリ及びプロセッサを組み込んだ例示的なセルラー電話の一般的な図である。
【図８】図１−図６の方法及びシステムが用いられ得るメモリ及びプロセッサを組み込んだ例示的な無線インターネットプロトコル電話の一般的な図である。
【図９】図１−図６の方法及びシステムが用いられ得るメモリ及びプロセッサを組み込んだ例示的なＰＤＡの一般的な図である。
【図１０】図１−図６の方法及びシステムが用いられ得るメモリ及びプロセッサを組み込んだ例示的なオーディオファイルプレーヤの一般的な図である。
【図１Ａ】
2009536815.tif 000004
【図１Ｂ】
2009536815.tif 000005
【図２】
2009536815.tif 000006
【図３】
2009536815.tif 000007
【図４】
2009536815.tif 000008
【図５】
2009536815.tif 000009
【図６】
2009536815.tif 000010
【図７】
2009536815.tif 000011
【図８】
2009536815.tif 000012
【図９】
2009536815.tif 000013
【図１０】
2009536815.tif 000014
【国際調査報告】
2009536815.tif 000015
2009536815.tif 000016
2009536815.tif 000017